(57)【要約】【課題】筒状本体に内蔵させる鉱石粉末の配合を研究するとともに、筒状本体の内部にその長さ方向に沿って芯棒を内蔵させることにより、整体棒を単に患部に当接して軽く押圧するのみで、筋肉痛やこり、痛み等を解消して各種の疾患を治療することができる、画期的な治療効果を発揮する整体棒を提供することを目的とする。【解決手段】一端には身体に接触するプローブを形成し、他端には蓋体を取り付けて中空構造としたステンレス製筒状本体と、前記筒状本体の内部にその長さ方向に沿って内蔵させたステンレス製芯棒とを備え、かつ前記筒状本体と芯棒との間隙にトルマリンを主体とする複数の鉱石の粉末の混合物を充填したことを特徴とする整体棒。【選択図】図１
0003218884.tif 000002
【実用新案登録請求の範囲】
【請求項１】
一端には身体に接触するプローブを形成し、他端には蓋体を取り付けて中空構造としたステンレス製筒状本体と、前記筒状本体の内部にその長さ方向に沿って内蔵させたステンレス製芯棒とを備え、かつ前記筒状本体と芯棒との間隙にトルマリンを主体とする複数の鉱石の粉末の混合物を充填するとともに、前記ステンレス製芯棒は前記筒状本体の内部にその長さ方向に沿って前記プローブと蓋体との間に差し渡して設けたことを特徴とする整体棒。
【請求項２】
前記プローブは、ドーム型若しくは尖頭型の膨頭部からなることを特徴とする請求項１記載の整体棒。
【考案の詳細な説明】
【技術分野】
【０００１】
この考案は、人体の患部やツボ等を押圧することにより、筋肉痛やこり、神経痛、腰痛、五十肩等の苦痛を速やかに軽減あるいは解消させるようにするための整体棒に関する。
【背景技術】
【０００２】
従来の指圧療法は人間の手や指によって、人体の患部やツボを揉み叩き等して神経を刺激し、血行をよくして筋肉痛やこり、神経痛、腰痛、五十肩等の苦痛を軽減し、治療するものであった。
【０００３】
とはいえ、人間の手や指による指圧療法で筋肉痛や肩こり、神経痛、腰痛、五十肩等の痛みを和らげる等の効果を得るためには、相当の熟練や人体に対する深い理解を必要としている。
そこで人間の手や指による指圧療法に代わって、誰にでも簡単に指圧効果を得られるようにする各種の整体器具が開発されてきている。
例えば、中空の棒の中にトルマリンを内蔵させたものとしては、特開２００３−２３５９２４号公報（特許文献１参照）や実用新案登録第３０８６０９９号公報（特許文献２参照）、実用新案登録第３０４８５５４号公報（特許文献３参照）特開２００１−１４５６７８号公報（特許文献４参照）があり、該トルマリンの発生するマイナスイオンを利用しようとするものである。
【０００４】
また、指圧棒の中に芯棒を内蔵させたものとしては、特開２００６−５５６４４号公報（特許文献５参照）のように、指圧棒の中で棒状の衝撃ユニットがスライドして指圧棒の前後内壁に衝突し、衝撃を発生させるようにしたものが知られている。
【先行技術文献】
【特許文献】
【０００５】
【特許文献１】特開２００３−２３５９２４号公報
【特許文献２】実用新案登録第３０８６０９９号公報
【特許文献３】実用新案登録第３０４８５５４号公報
【特許文献４】特開２００１−１４５６７８号公報
【特許文献５】特開２００６−５５６４４号公報
【考案の概要】
【考案が解決しようとする課題】
【０００６】
しかしながら、前記特許文献１ないし４のトルマリンを内蔵させた棒状の指圧器具においては、粉末として内蔵させた鉱石の成分がトルマリンのみであったり、その他の鉱石が効果の乏しいものやその組み合わせであったため、指圧効果の良好な棒状の指圧器具は得られていなかったのが実情であった。
この考案は、上記のような問題点を改善するために、筒状本体に内蔵させる鉱石粉末の配合を研究するとともに、筒状本体の内部にその長さ方向に沿って芯棒を内蔵させることにより、整体棒を単に患部に当接して軽く押圧するのみで、筋肉痛やこり、痛み等を解消して各種の疾患を治療することができる、画期的な治療効果を発揮する整体棒を提供することを目的とする。
【課題を解決するための手段】
【０００７】
前記の課題を解決するためにこの考案の整体棒は、一端には身体に接触するプローブを形成し、他端には蓋体を取り付けて中空構造としたステンレス製筒状本体と、前記筒状本体の内部にその長さ方向に沿って内蔵させたステンレス製芯棒とを備え、かつ前記筒状本体と芯棒との間隙にトルマリンを主体とする複数の鉱石の粉末の混合物を充填したことを特徴とするものである。
【０００８】
この考案の整体棒において、前記プローブは、ドーム型若しくは尖頭型の膨頭部からなることをも特徴とするものである。
【０００９】
この考案の整体棒において、前記ステンレス製芯棒は、前記筒状本体の内部にその長さ方向に沿って前記プローブと蓋体との間に差し渡して設けられてなることをも特徴とするものである。
【考案の効果】
【００１０】
この考案にかかる整体棒の先端部を人体の皮膚に当接して押圧すると、プローブと筒状本体のそれぞれの金属間に標準電極電位の差に応じた電位差を生じ、導電性金属で構成されたプローブを通じて人体の患部に微弱な電流が流れ、これが人体中を流れる生体電流若しくは神経に作用して血流を改善し、筋肉痛やコリ、痛みを軽減する作用をなすものと推定される。
【００１１】
さらに、筒状本体の内部にトルマリンを主体とする鉱石の粉末を充填して内蔵させることにより、これらの粉末が前記微弱電流の作用によって遠赤外線を放出し、この遠赤外線が患部に照射されることによって、人体の細胞を活性化させ自然治癒力を促進する結果、前記の微弱電流による治療効果をより増強する作用をなすものと推測される。
【図面の簡単な説明】
【００１２】
【図１】この考案の整体棒の実施の形態を示す、第１実施例の斜視図である。
【図２】その概略断面図である。
【図３】第２実施例の斜視図である。
【図４】その概略断面図である。
【図５】第３実施例の斜視図である。
【図６】その概略断面図である。
【考案を実施するための形態】
【００１３】
次に、この考案の代表的な実施の形態について、図面に基づいて説明する。
図１および図２に示す第１実施例において、整体棒１０は、その一端には身体に接触するプローブ１２を形成し、他端には蓋体１３をネジ等で着脱可能に取り付けたステンレス製筒状本体１１を備えている。前記プローブ１２はドーム型をなしており、人体の患部のやや広い範囲に穏やかに接触させることができる。他方、蓋体１３は筒状本体１１の端部を開口し、後述の鉱石の粉末の混合物を筒状本体１１へ充填するために使用される。
【００１４】
そして、前記筒状本体１１の内部にはその長さ方向に沿って差し渡すようにステンレス製芯棒１４が内蔵してあり、両端は前記プローブ１２と蓋体１３に設けた凹部に挿通して固定されている。
このように、前記筒状本体１１の内部にステンレス製芯棒１４を挿通し固定してあるため、前記筒状本体１１内部の中空部分も、ほぼ筒状構造となっているのである。
【００１５】
さらに、前記筒状本体１１と芯棒１４との筒状構造の間隙には、トルマリンを主体とする複数の鉱石の粉末１５の混合物が密に充填されている。
前記複数の鉱石の粉末としてはトルマリンを主体として含むものであればよく、このトルマリンを主体として種々の鉱石の粉末を適宜配合することにより、望ましい効果の得られる整体棒とすることができる。
このようなトルマリンを主体とする種々の鉱石の粉末の組合せや配合割合については、被験者の状態に応じて適宜決定することが望ましい。
【００１６】
図３および図４に示す第２実施例において、整体棒２０は、その一端には身体に接触するプローブ２２を形成し、他端には蓋体２３をネジ等で着脱可能に取り付けたステンレス製筒状本体２１を備えている。前記プローブ２２はやや鋭角な尖頭型をなしており、人体の患部の狭い範囲に鋭角的に接触させることができる。他方、蓋体２３は筒状本体２１の端部を開口し、後述の鉱石の粉末の混合物を筒状本体２１へ充填するために使用される。
【００１７】
この例でも、前記筒状本体２１の内部にはその長さ方向に沿って差し渡すようにステンレス製芯棒２４が内蔵してあり、両端は前記プローブ２２と蓋体２３に設けた凹部に挿通して固定されている。
このように、前記筒状本体２１の内部にステンレス製芯棒２４を挿通し固定してあるため、前記筒状本体２１内部の中空部分も、ほぼ筒状構造となっているのである。
【００１８】
さらに、前記筒状本体２１と芯棒２４との筒状構造の間隙には、複数の鉱石の粉末２５の混合物が密に充填されている。
前記複数の鉱石の粉末としてはトルマリンを主体として含むものであればよく、このトルマリンを主体として種々の鉱石の粉末を適宜配合することにより、望ましい効果の得られる整体棒とすることができる。
【００１９】
図５および図６に示す第３実施例において、整体棒３０は、その一端には身体に接触するプローブ３２を形成し、他端には蓋体３３をネジ等で着脱可能に取り付けたステンレス製筒状本体３１を備えている。前記プローブ３２は極めて鋭角な尖頭型をなしており、人体の患部の非常に狭い範囲に鋭角的に接触させることができる。他方、蓋体３３は筒状本体３１の端部を開口し、後述の鉱石の粉末の混合物を筒状本体３１へ充填するために使用される。
【００２０】
この例でも、前記筒状本体３１の内部にはその長さ方向に沿って差し渡すようにステンレス製芯棒３４が内蔵してあり、両端は前記プローブ３２と蓋体３３に設けた凹部に挿通して固定されている。
このように、前記筒状本体３１の内部にステンレス製芯棒３４を挿通し固定してあるため、前記筒状本体３１内部の中空部分も、ほぼ筒状構造となっているのである。
【００２１】
さらに、前記筒状本体３１と芯棒３４との筒状構造の間隙には、複数の鉱石の粉末３５の混合物が密に充填されている。
前記複数の鉱石の粉末としてはトルマリンを主体として含むものであればよく、このトルマリンを主体として種々の鉱石の粉末を適宜配合することにより、望ましい効果の得られる整体棒とすることができる。
【００２２】
この考案の整体棒１０，２０，３０の使用に際しては、前記プローブ１２，２２，３２を、人体の頭部、肩部、腹部、手足等の患部やツボ等に当て、軽く押圧するだけで、筋肉痛やこり、神経痛、腰痛、五十肩等の苦痛を速やかに軽減あるいは解消させることができる。
例えば整体棒１０，２０，３０の前記プローブ１２，２２，３２を患者の患部やツボに当接して軽く２〜３秒間押圧した後、しばらく整体棒１０，２０，３０を人体から離し、直ぐに前と同様に押圧するという動作を１０〜１５分間繰り返すのである。
【産業上の利用可能性】
【００２３】
この考案は以上のような構造からなり、このような整体棒を患者の患部ないしツボに当接し、軽く押圧するだけで、筋肉痛やコリ、神経痛、頭痛、腰痛、五十肩等の苦痛が即効的に軽減ないし解消する効果を奏する。
さらに、電気式治療具のように外部からの電気を使用せず、したがって、電気設備の調っていない屋外や電圧が我が国と異なる外国においても即座に使用でき、メンテナンスの手間も要しない。
【符号の説明】
【００２４】
１０  整体棒
１１  ステンレス製筒状本体
１２  プローブ
１３  蓋体
１４  ステンレス製芯棒
１５  鉱石の粉末
２０  整体棒
２１  ステンレス製筒状本体
２２  プローブ
２３  蓋体
２４  ステンレス製芯棒
２５  鉱石の粉末
３０  整体棒
３１  ステンレス製筒状本体
３２  プローブ
３３  蓋体
３４  ステンレス製芯棒
３５  鉱石の粉末
【図１】
0003218884.tif 000003
【図２】
0003218884.tif 000004
【図３】
0003218884.tif 000005
【図４】
0003218884.tif 000006
【図５】
0003218884.tif 000007
【図６】
0003218884.tif 000008